(57)【要約】【課題】グルーブトラックに記録を行うディスクと、ランドトラックに記録を行うディスクの両方が存在しても、装置の起動時間の増大を防止できるようにする。【解決手段】光ディスク１０１は、グルーブトラックに記録を行うタイプの光ディスクであり、光ディスク１０７はランドトラックに記録を行うタイプの光ディスクである。各光ディスク１０１，１０７は、コントロールデータ領域１０２，１０８と、ユーザデータを記録するデータ記録領域１０３，１０９とを備えている。何れの光ディスク１０１，１０７においても、コントロールデータ領域１０２，１０８には、何れのトラックにトラッキングサーボをかけるべきかを示すコードが記録されている。【選択図】図１
2010186556.tif 000002
【特許請求の範囲】
【請求項１】
グルーブトラックとランドトラックのいずれか一方に情報が記録され、前記情報が記録されるトラックは、ウォブルを有する情報記録媒体の製造方法であって、
前記ウォブルは、所定の基準周波数を有する基準波形信号の一部に、前記基準波形信号とは異なる信号を加算あるいは減算した信号を含むことで、アドレス情報が付加されており、
前記グルーブトラックに情報の記録を行う情報記録媒体と、前記ランドトラックに情報の記録を行う情報記録媒体とで、前記トラックのウォブリングを開始する方向を再生方向に対して左右逆向きに形成し、
前記グルーブトラックもしくはランドトラックのいずれにトラッキングサーボをかけるかを示すコードを、前記情報記録媒体に設け、
前記グルーブトラックに情報の記録を行う情報記録媒体の場合は、前記ウォブルが情報記録媒体の内周側から開始し、前記ランドトラックに情報の記録を行う情報記録媒体の場合は、前記ウォブルが情報記録媒体の外周側から開始することを特徴とする情報記録媒体の製造方法。
【請求項２】
ランドトラックとグルーブトラックを有する情報記録媒体に対し、ランドトラック及びグルーブトラックの何れかへの情報の記録及び前記何れかのトラックに記録された情報の再生の少なくとも一方を行う情報記録再生方法であって、
前記情報が記録されるトラックは、ウォブルを有し、
前記ウォブルは、所定の基準周波数を有する基準波形信号の一部に、前記基準波形信号とは異なる信号を加算あるいは減算した信号を含むことで、アドレス情報が付加されており、
前記グルーブトラックに情報の記録を行う情報記録媒体と、前記ランドトラックに情報の記録を行う情報記録媒体とで、前記トラックのウォブリングを開始する方向を再生方向に対して左右逆向きに形成されており、
前記ランドトラックに情報が記録される情報記録媒体の場合は前記ウォブルが情報記録媒体の内周側から開始し、前記ランドトラックに情報の記録を行う情報記録媒体の場合は、前記ウォブルが情報記録媒体の外周側から開始し、
前記情報記録媒体は、前記グルーブトラックもしくは前記ランドトラックのいずれにトラッキングサーボをかけるかを示すコードが格納されており、
前記コードを再生するステップと、
前記コードの再生に応じて、前記情報記録媒体の情報の記録再生を行うステップと、を有することを特徴とする情報記録再生方法。
【請求項３】
再生された前記コードに基づいて、前記トラッキングサーボをグルーブトラック、もしくはランドトラックに切り替えるステップを有する請求項１に記載の記録再生方法、及びコンピュータプログラム、及び前記プログラムを格納した情報記録再生装置。
【発明の詳細な説明】
【技術分野】
【０００１】
本発明は、情報記録媒体に記録された光学情報の再生を行う際のトラッキング極性を決定する技術に関するものである。
【背景技術】
【０００２】
近年、高密度の光ディスクの研究開発が盛んに行われ、最近ではＤＶＤが実用化され、光ディスクは重要な情報記録媒体としての地位を築きつつある。ＤＶＤの規格の中でも、従来は再生専用のタイプが注目を集めてきたが、ＤＶＤレコーダの普及とともに記録可能なタイプも注目されるようになってきた。また更なる高密度化の流れとして、最近ＢＤ−ＲＥが提案されて実用化され、デジタル放送の録画等に使用されている。
【０００３】
情報を記録可能なタイプの光ディスクにおける記録膜の成膜方法としては、下記特許文献１に開示されているように、蒸着法とスピンコート法の２つの成膜方法が知られている。図１３を用いてこれら２つの成膜方法を説明する。
【０００４】
図１３は光ディスクの断面図である。図１３（ａ）は、蒸着法により相変化材料の記録膜が成膜されたＢＤ−ＲＥの一例を示し、図１３（ｂ）は、スピンコート法により有機色素系の記録膜が成膜されたＤＶＤ−Ｒの一例を示している。
【０００５】
図１３（ａ）に示すように、蒸着法では、射出成型された基板５０１にスパッタ等により反射層５０２を積層し、その上に蒸着法により記録層５０３を積層し、この記録層５０３に接着層５０４を介してシート５０５を貼り合せる。このディスクの基板５０１の凹凸において、レーザ光が照射される光ピックアップ側の凹凸をグルーブトラックとし、光ピックアップから遠い方の凹凸をランドトラックとすると、記録はグルーブトラックに行われる。
【０００６】
図１３（ｂ）に示すように、スピンコート法では、射出成型された２つの基板５０６，５１０を接着層５０９を介して貼り合せるが、その前に基板５０６にスピンコート法により記録層５０７を積層し、その上に反射層５０８をスパッタ等により堆積しておく。このディスクの基板５０６の凹凸において、レーザ光が照射される光ピックアップ側の凹凸をグルーブトラックとし、光ピックアップから遠い方の凹凸をランドトラックとすると、記録はグルーブトラックに行われる。
【０００７】
図１３（ａ）に示すＢＤ−ＲＥディスクでは、記録密度の高度化を実現するために、レーザ光の波長をＤＶＤ系のディスクよりも短くし、高ＮＡ（Ｎｕｍｅｒｉｃａｌ  Ａｐｅｒｔｕｒｅ）の対物レンズを使用する。このため、ＢＤ−ＲＥディスクでは、図１３（ｂ）に示すＤＶＤ−Ｒディスクのように凹凸を有する基板側からレーザ光を入射せずに、基板５０１よりも薄いシート５０５側からレーザ光を入射している。
【先行技術文献】
【特許文献】
【０００８】
【特許文献１】特開２００３−１０９２４６号
【発明の概要】
【発明が解決しようとする課題】
【０００９】
スピンコート法には記録層の形成時間を短くできるという利点があり、これをＢＤ系のディスクに適用すると、図１３（ｃ）の様な構成が考えられる。すなわち、図１３（ｃ）に示すように、射出成型された基板５１１にスパッタ等により反射膜５１２を積層し、その上にスピンコート法により記録層５１３を積層する。そして、その上に接着層５１４を介してシート５１５を貼り合せる。このディスクの基板５１１の凹凸において、レーザ光が照射される光ピックアップ側の凹凸をグルーブトラックとし、光ピックアップから遠い方の凹凸をランドトラックとすると、記録はランドトラックに行われることが望ましい。
【００１０】
即ち、記録層５１３には所定の膜厚が必要であるため、グルーブトラックに記録を行うためには図１３（ｄ）のようにグルーブトラックの膜厚を厚くしなければならなくなる。このため、図１３（ｃ）の構成に比べて材料費がかかることになる。
【００１１】
一方でＢＤ−ＲＥには、図１３（ａ）に示すようにグルーブトラックに記録する方式が既にあり、ランドトラックに記録を行うディスクが存在することになると、記録再生装置は、どちらのトラックに記録を行うディスクであるのかを即座に判断できなくなり、そのために起動に時間がかかるという課題が生ずる。
【００１２】
本発明は上記課題に鑑み、グルーブトラックに記録を行うディスクと、ランドトラックに記録を行うディスクの何れのディスクの記録又は再生を行う場合においても、装置の起動時間の増大を防止できるような情報記録媒体もしくは再生方法を提供することを目的とする。
【課題を解決するための手段】
【００１３】
この目的を達成するため、本発明は、データ記録領域とコントロールデータ領域を備え、これら領域の記録層におけるグルーブトラック及びランドトラックの一方に情報が記録される情報記録媒体を前提として、前記グルーブトラックと前記ランドトラックの何れにトラッキングサーボをかけるのかを示すコードが設けられている。
【００１４】
この情報記録媒体によれば、コードを再生することにより、記録再生装置においてグルーブトラックとランドトラックの何れにトラッキングサーボをかけるべきかを迅速に判断できるようになる。この結果、装置の起動時間の増大を防止することができる。
【００１５】
また、本発明は、ランドトラック及びグルーブトラックを有する情報記録媒体にトラッキングサーボをかけるときの制御を行うための集積回路を前提として、前記情報記録媒体には、前記ランドトラック及び前記グルーブトラックの何れにトラッキングサーボをかけるのかを示すコードが設けられており、所定の極性にしたがってトラッキングサーボがかけられときに、前記コードを取得する制御を行うコード検出手段と、前記コード検出手段が所定時間内に前記コードを取得できないとき又は所定のリトライ回数で前記コードを取得できないときに、前記トラッキング極性の切り替えを行うトラッキング極性切り替え手段とが含まれている。
【００１６】
この構成では、前記コードを取得する制御の結果に基づいて、トラッキング極性の切り替えを行うようにしているので、情報が記録されるトラックに迅速にトラッキングサーボをかけることができるようになる。この結果、装置の起動時間の増大を防止することができる。
【００１７】
また、本発明は、ランドトラック及びグルーブトラックを有する情報記録媒体にトラッキングサーボをかけるときの制御を行うための集積回路を前提として、所定の極性にしたがってトラッキングサーボがかけられた場合に、所定の時間内に、所定の領域内で又は所定のリトライ回数で、前記トラッキングサーボにより得られる差動信号が所定範囲から外れるとき、前記差動信号から２値化信号を検出できないとき、又はシンクパターンの検出ができないときに、前記トラッキング極性の切り替えを行うトラッキング極性切り替え手段が含まれている。
【００１８】
この構成では、情報記録媒体にランドトラック及びグルーブトラックの何れにトラッキングサーボをかけるのかを示すコードが設けられていない場合であっても、情報が記録されるトラックに迅速にトラッキングサーボをかけることができるようになる。この結果、装置の起動時間の増大を防止することができる。
【００１９】
また、本発明は、コンピュータを機能させて、ランドトラック及びグルーブトラックを有する情報記録媒体にトラッキングサーボをかけるときの制御を行うためのコンピュータプログラム（computer program product）を前提として、前記情報記録媒体には、前記ランドトラック及び前記グルーブトラックの何れにトラッキングサーボをかけるのかを示すコードが設けられており、所定の極性にしたがってトラッキングサーボがかけられたときに、前記コードを取得する制御を行うコード検出手段と、前記コード検出手段による制御を行った結果に基づいて、前記トラッキング極性の切り替えを行うトラッキング極性切り替え手段とが含まれている。
【００２０】
この構成では、前記コードを取得する制御の結果に基づいて、トラッキング極性の切り替えを行うようにしているので、情報が記録されるトラックに迅速にトラッキングサーボをかけることができるようになる。この結果、装置の起動時間の増大を防止することができる。
【００２１】
また、本発明は、コンピュータを機能させて、ランドトラック及びグルーブトラックを有する情報記録媒体にトラッキングサーボをかけるときの制御を行うためのコンピュータプログラムを前提として、所定の極性にしたがってトラッキングサーボがかけられた場合に、所定の時間内に、所定の領域内で又は所定のリトライ回数で、前記トラッキングサーボにより得られる差動信号が所定範囲から外れるとき、前記差動信号から２値化信号を検出できないとき、又はシンクパターンの検出ができないときに、前記トラッキング極性の切り替えを行うトラッキング極性切り替え手段が含まれている。
【００２２】
また、本発明は、情報記録媒体における記録層のランドトラック及びグルーブトラックの何れかへの情報の記録及び前記何れかのトラックに記録された情報の再生の少なくとも一方を行う情報記録再生方法を前提として、前記情報記録媒体は、前記ランドトラック及び前記グルーブトラックの何れにトラッキングサーボをかけるのかを示すコードが設けられるものであり、所定の極性にしたがってトラッキングサーボがかけられた場合において前記コードが所定時間内に取得できないとき又は所定のリトライ回数で取得できないときに、トラッキング極性を切り替える。
【００２３】
この方法では、トラッキング極性の切り替えを行うようにしているので、情報が記録されるトラックに迅速にトラッキングサーボをかけることができるようになる。この結果、装置の起動時間の増大を防止することができる。
【００２４】
また、本発明は、情報記録媒体における記録層のランドトラック及びグルーブトラックの何れかへの情報の記録及び前記何れかのトラックに記録された情報の再生の少なくとも一方を行う情報記録再生方法を前提として、所定の極性にしたがってトラッキングサーボがかけられた場合において、シンクパターンが検出できないとき、前記トラッキングサーボによる差動信号からの２値化信号が検出できないとき及び前記トラッキングサーボによる差動信号が所定の範囲を超えているときの何れかのときに、トラッキング極性を切り替える。
【００２５】
この構成では、情報記録媒体にランドトラック及びグルーブトラックの何れにトラッキングサーボをかけるのかを示すコードが設けられていない場合であっても、情報が記録されるトラックに迅速にトラッキングサーボをかけることができるようになる。この結果、装置の起動時間の増大を防止することができる。
【００２６】
また、本発明は、情報記録媒体における記録層のランドトラック及びグルーブトラックの何れかへの情報の記録及び前記何れかのトラックに記録された情報の再生の少なくとも一方を行う情報記録再生方法を前提として、ランドトラックにトラッキングサーボがかけられる情報記録媒体と、グルーブトラックにトラッキングサーボがかけられる情報記録媒体とでは、トラックの変調を開始する方向が再生方向に対して逆向きに形成された情報記録媒体の情報の記録再生を行う。
【００２７】
この方法によれば、情報記録媒体の光学特性を利用して差動信号の極性を同じにすることができるので、同じシーケンスを用いて情報記録媒体のアドレスを読み取ることができるようになる。この結果、装置の起動時間の増大を防止することができる。
【００２８】
また、本発明は、情報記録媒体における記録層のランドトラック及びグルーブトラックの何れかへの情報の記録及び前記何れかのトラックに記録された情報の再生の少なくとも一方を行う情報記録再生方法を前提として、ランドトラックにトラッキングサーボがかけられる情報記録媒体と、グルーブトラックにトラッキングサーボがかけられる情報記録媒体とでは、トラックのウォブリングを開始する方向が再生方向に対して逆向きに形成された情報記録媒体の情報の記録再生を行う。
【００２９】
この方法によれば、情報記録媒体の光学特性を利用して差動信号の極性を同じにすることができるので、同じシーケンスを用いて情報記録媒体のアドレスを読み取ることができるようになる。この結果、装置の起動時間の増大を防止することができる。
【発明の効果】
【００３０】
本発明によれば、装置の起動時間の増大を防止することができる。
【図面の簡単な説明】
【００３１】
【図１】（ａ）本発明の実施の形態に係る光ディスクの平面図であり、（ｃ）その断面図であり、（ｂ）本発明の実施の形態に係る光ディスクの平面図であり、（ｄ）その断面図である。
【図２】（ａ）グルーブトラックに情報が記録されるタイプの光ディスクを部分的に示す断面図であり、（ｂ）ランドグルーブトラックに情報が記録されるタイプの光ディスクを部分的に示す断面図である。
【図３】本発明の実施の形態に係る光ディスクのデータ記録領域におけるトラックを拡大して概略的に示す平面図である。
【図４】その他の実施形態に係る光ディスクのウォブリングパターンを説明するための図である。
【図５】（ａ）（ｂ）その他の実施形態に係る光ディスクのウォブリングパターンを説明するための図である。
【図６】本発明の実施の形態に係る光ディスクのコントロールデータ領域におけるトラックを拡大して概略的に示す平面図である。
【図７】アドレスを概念的に示す図である。
【図８】本発明の実施の形態に係る記録再生装置のブロック図である。
【図９】前記記録再生装置における再生信号を説明するための図である。
【図１０】本発明の実施の形態に係る集積回路のブロック図である。
【図１１】本発明の実施の形態に係る光ディスクの平面図である。
【図１２】本発明の実施の形態に係る記録再生装置のブロック図である。
【図１３】（ａ）蒸着法による従来の光ディスクの断面図であり、（ｂ）スピンコート法による従来の光ディスクの断面図であり、（ｃ）スピンコート法による光ディスクの断面図であり、（ｄ）スピンコート法による光ディスクの断面図である。
【発明を実施するための形態】
【００３２】
以下、本発明の好ましい実施の形態について図面を参照しながら説明する。図１（ａ）及び図１（ｂ）は何れも本発明に係る情報記録媒体の一実施形態としての光ディスク１０１，１０７を示すものである。図１（ａ）と図１（ｃ）は何れもグルーブトラックに記録を行うタイプの追記型の光ディスク１０１を示しており、それぞれ平面図と円周方向に見たときの断面図である。この光ディスク１０１の一例として、例えばＢＤ−ＲＥが挙げられる。図１（ｂ）と図１（ｄ）は、何れもランドトラックに記録を行うタイプの追記型の光ディスク１０７を示しており、それぞれ平面図と円周方向に見た断面図である。この光ディスク１０７の一例として、例えばＤＶＤ−Ｒが挙げられる。なお、トラックは、同心円状に形成されたものでもよく、あるいはスパイラル状に形成されたものでもよい。
【００３３】
図１（ａ）に示すように、光ディスク１０１は、コントロールデータ領域１０２と、このコントロールデータ領域１０２の外側に設けられたデータ記録領域１０３とを有する。コントロールデータ領域１０２は、ディスク規格によってその径が定められるものであり、管理情報等が予め記載された領域である。また、データ記録領域１０３は、ディスク規格によってその径が定められるものであり、ユーザによりデータが記録される領域である。
【００３４】
図１（ａ）に示す前記光ディスク１０１は、図１（ｃ）に示すように、基板２０１と、反射層２０２と、記録層２０３と、接着層２０４と、シート２０５とをこの順に積層した構造のものである。この光ディスク１０１を成形するには、射出成型された基板２０１にスパッタ等により反射層２０２を積層し、この上に蒸着法により記録層２０３を積層する。そして、その上に接着層２０４を介してシート２０５を貼り合せる。このようにして光ディスク１０１を成形することができる。
【００３５】
基板２０１には、凹凸が設けられており、記録層２０３もこの凹凸に沿ってジグザグ形状となっている。そして、この基板２０１の凹凸において、レーザ光を照射する光ピックアップに上面が近い方の部位をグルーブとし、光ピックアップから遠い方の部位をランドとすると、図２（ａ）に示すように、情報の記録は前記グルーブに対応した記録層２０３のグルーブトラック１０４に行われる。
【００３６】
図１（ｂ）に示すように、光ディスク１０７は、コントロールデータ領域１０８と、このコントロールデータ領域１０８の外側に設けられたデータ記録領域１０９とを有する。コントロールデータ領域１０８は、ディスク規格によってその径が定められるものであり、管理情報等が予め記載された領域である。また、データ記録領域１０９は、ディスク規格によってその径が定められるものであり、ユーザによりデータが記録される領域である。
【００３７】
図１（ｂ）に示す前記光ディスク１０７は、図１（ｄ）に示すように、基板２１１と、反射層２１２と、記録層２１３と、接着層２１４と、シート２１５とをこの順に積層した構造のものである。この光ディスク１０７を成形するには、射出成型された基板２１１にスパッタ等により反射層２１２を積層し、その上にスピンコート法により記録層２１３を積層する。そして、その上に接着層２１４を介してシート２１５を貼り合せる。このようにして光ディスク１０７を成形することができる。
【００３８】
基板２１１には、凹凸が設けられており、記録層２１３の下面もこの凹凸に沿った凹凸形状となっている。すなわち、この光ディスク１０７では、記録層２１３が半径方向に厚肉部と薄肉部が交互に形成された構成となっている。そして、基板２１１の凹凸において、レーザ光を照射する光ピックアップに近い方の部位をグルーブとし、光ピックアップから遠い方の部位をランドとすると、図２（ｂ）に示すように、情報の記録は、前記ランドに対応した記録層２１３のランドトラック１１０に行われる。
【００３９】
したがって、この光ディスク１０７によれば、記録層２１３をスピンコート法によって成形し、しかもランドトラック１１０に情報記録を行うようにしているので、記録層２１３の形成時間を短縮できるとともに、材料費の増大を抑制しつつ安定した情報記録を行うことができる。
【００４０】
次に図３を参照する。図３の最上部に符号２００１で示しているのは、データ記録領域１０３のグルーブトラック１０４におけるその長さ方向の一領域１０５（図１（ａ）参照）を拡大したものであり、またその下に符号２００２で示しているのは、データ記録領域１０９のランドトラック１１０におけるその長さ方向の一領域１１１（図１（ｂ）参照）を拡大したものである。このようにグルーブトラック１０４及びランドトラック１１０は共にウォブリングされたものであり、シンクパターン、アドレス情報、ユーザデータの記録開始タイミング情報等の情報がこのウォブリングパターンによって記録されている。
【００４１】
ここで仮に、光ディスク１０１のグルーブトラック１０４と光ディスク１０７のランドトラック１１０とに、それぞれ同じ情報が埋め込まれているとすると、符号２００１と符号２００２でそれぞれ示すように、光ディスク１０１のグルーブトラック１０４のウォブリングパターンと、光ディスク１０７のランドトラック１１０のウォブリングパターンとでは、それらの位相が１８０度異なっている。言い換えると、グルーブトラックにデータを記録する情報記録媒体と、ランドトラックにデータを記録する情報記録媒体とにおいて、トラックのウォブリング方向が再生方向に対して左右反対になっている。
【００４２】
レーザ光をグルーブトラックに照射した場合とランドトラックに照射した場合とでは、検出される差動信号が反転される。このため、光ディスク１０１におけるグルーブトラック１０４のウォブリング方向と光ディスク１０７におけるランドトラック１１０のウォブリング方向が逆向きに構成されることにより、光ディスク１０１のグルーブトラック１０４を再生したときの差動信号と、光ディスク１０７のランドトラック１１０を再生したときの差動信号の極性を同じにすることができる。この結果、光ディスク１０１のようなグルーブトラックに記録するタイプの光ディスクにしか対応していない記録再生装置においても、ランドトラックにトラッキングサーボがかかっていれば、光ディスク１０７のようなランドトラックに記録するタイプの光ディスクのアドレスを、光ディスク１０１と同じシーケンスで検出することができる。なお、前記差動信号とは、光ディスクからの反射光をトラック方向に平行なラインで２分割された受光領域を有するフォトディテクタで集光したときに、各受光領域から出力される信号の差信号を意味している。
【００４３】
グルーブトラック１０４の領域１０５においては、符号２００１で示すように、パターンＡとパターンＢの２つのパターンでウォブリングされている。パターンＢはパターンＡの１．５倍の周波数によるウォブリングパターンとなっており、このパターンＢは前後するパターンＡ間に挿入されている。同様に、ランドトラック１１０の領域１１１においては、符号２００２で示すように、パターンＣとパターンＤの２つのパターンでウォブリングされている。パターンＤは、パターンＣの１．５倍の周波数によるウォブリングパターンとなっており、このパターンＤは前後するパターンＣ間に挿入されている。なお、領域１０５のウォブリングパターンと、領域１１１のウォブリングパターンとは位相が１８０度異なるものの、パターンＡとパターンＣの周波数は同じであり、パターンＢとパターンＤに含まれる周波数成分も同じである。
【００４４】
光ディスク１０１のグルーブトラック１０４では、パターンＡとパターンＢを用いてアドレス情報等を構成している。例えば符号２００３で示すように、パターンＢの後にパターンＡが３回続いて、再度パターンＢが現れる構成を値”０”とし、符号２００４で示すように、パターンＢの後にパターンＡが２回続いて、再度パターンＢが現れる構成を値”１”とし、これらの組み合わせによってアドレス情報等を構成している。
【００４５】
同様に、光ディスク１０７のランドトラック１１０では、パターンＣとパターンＤを用いてアドレス情報等を構成している。例えば符号２００５で示すように、パターンＤの後にパターンＣが３回続いて、再度パターンＤが現れる構成を値”０”とし、符号２００６で示すように、パターンＤの後にパターンＣが２回続いて、再度パターンＤが現れる構成を値”１”としている。
【００４６】
ここで、グルーブトラック１０４において、パターンＢを検出した後に再度同じパターンＢを検出するまでの時間が、値”０”を示すウォブリングパターン２００３よりも値”１”を示すウォブリングパターン２００４の方が短い。また、ランドトラック１１０において、パターンＤを検出した後に再度同じパターンＤを検出するまでの時間が、値”０”を示すウォブリングパターン２００５よりも値”１”を示すウォブリングパターン２００６の方が短い。さらに前述の様に、パターンＡとパターンＣの周波数がそれぞれ同じであり、パターンＢとパターンＤに含まれる周波数成分がそれぞれ同じであることから、再生装置がパターンＢ及びパターンＤを検出することができれば、検出される差動信号の極性に関わらず、ウォブリングパターン２００３，２００５から値”０”を検出することができる一方、ウォブリングパターン２００４，２００６から値”１”を検出することができる。この結果、値”０”と値”１”の組み合わせによって構成される情報を検出することができる。
【００４７】
なお、グルーブトラック１０４と、ランドトラック１１０で、ウォブリングの位相が１８０度異なっているのであれば、パターンＡ、パターンＢ、パターンＣ、パターンＤに限らなくても良く、また各トラックのパターンは２種類以上であってもよい。
【００４８】
また、値”０”と値”１”で、所定のパターンが出現する時間差を利用するのであれば、値”０”、値”１”の定義の仕方は図示した形態に限られるものではない。
【００４９】
また、光ディスク１０１のグルーブトラック１０４と光ディスク１０７のランドトラック１１０に同じ情報が埋め込まれている場合において、グルーブトラック１０４から検出される情報と同じ情報がランドトラック１１０からも検出できるのであれば、トラックを変位させる方式や値”０”と値”１”の定義の仕方は本実施形態の構成に限られるものではない。
【００５０】
例えば、図４に示すように、単調な基準波形に対して所定周期分（例えば３周期分）のパターンのみ周期を変動させたウォブリングパターンとしてもよい。図例では、前記所定周期分の１番目と３番目を基準波形の周期Ｔの２／３倍にするとともに２番面の周期を基準波形の周期Ｔと同じにしたものを示している。この場合においても、グルーブトラックに情報を記録する光ディスクとランドトラックに情報を記録する光ディスクとで、ウォブリング方向を逆向きにしてもよい。
【００５１】
また、図５（ａ）及び図５（ｂ）に示すように、ｓｉｎ波形等の単調な基準波形を例えばのこぎり歯状のパターンに代えたウォブリングパターンを採用してもよい。すなわち、ｓｉｎ波とｃｏｓ波との組み合わせによりのこぎり歯状の波形が得られるが、図５（ａ）に示すパターンＥのようにｃｏｓ波にｓｉｎ波を加算して頂点位置が基準波形に対して再生時に後行する方向にずれるのこぎり歯の場合に値”１”とし、パターンＦのようにｃｏｓ波からｓｉｎ波を減算して頂点位置が基準波形に対して再生時に先行する方向にずれるのこぎり歯の場合に値”０”と定義してもよい。一方、図５（ｂ）に示すウォブリングパターンは、ウォブリング方向が図５（ａ）に示すものと逆向きになっている。すなわち、パターンＥに対応するパターンＧ、パターンＦに対応するパターンＨが設けられている。そして、図５（ａ）のウォブリングパターンをグルーブトラックに情報を記録する光ディスクに採用し、図５（ｂ）のウォブリングパターンをランドトラックに情報を記録する光ディスクに採用することにより、両光ディスクにおいてウォブリング方向を逆向きにしてもよい。この場合において、グルーブトラックに記録するタイプの光ディスク１０１では、ウォブリングの先頭でのウォブリング方向がディスクのインナーサイドとなっているのに対し、ランドトラックに記録するタイプの光ディスク１０７では、ウォブリングの先頭でのウォブリング方向がディスクのアウターサイドとなっている。ここでいうウォブリングの先頭というのは、所定のデータを構成する一連のウォブリングパターンにおける先頭部をさしている。
【００５２】
次に図６を参照する。図６に符号３００１で示すのは、光ディスク１０１のコントロールデータ領域１０２におけるグルーブトラックの長さ方向の一領域１０６（図１（ａ）参照）を拡大したものであり、図６に符号３００２で示すのは、光ディスク１０７のコントロールデータ領域１０８におけるランドトラックの長さ方向の一領域１１２（図１（ｂ）参照）を拡大したものである。
【００５３】
図６に示すように、光ディスク１０１のコントロールデータ領域１０２におけるグルーブトラックと、光ディスク１０７のコントロールデータ領域１０８におけるランドトラックとには、それぞれ変調がかけられている。
【００５４】
光ディスク１０１のコントロールデータ領域１０２のグルーブトラックでは、符号３００１で示すように、２つのパターンで変調されている。具体的に、一方のパターンは基本周期Ｔ２の間に極性が反転せず、もう一方のパターンは基本周期Ｔ２の間に極性が反転する。そして、これらのパターンの何れにおいても基本周期Ｔ２の区切りで極性が反転する。そして、極性が反転しないパターンを値”０”とし、極性が反転するパターンを値”１”としている。
【００５５】
同様に、光ディスク１０７のコントロールデータ領域１０８のランドトラックでも、符号３００２で示すように、２つのパターンで変調されている。一方のパターンは基本周期Ｔ２の間に極性が反転せず、もう一方のパターンは基本周期Ｔ２の間に極性が反転する。そして、これらのどちらのパターンも基本周期Ｔ２の区切りで極性が反転する。そして、極性が反転しないパターンを値”０”とし、極性が反転するパターンを値”１”としている。
【００５６】
これにより、再生装置が極性の変化を検出できるものであれば、検出される差動信号の極性に関わらず、値”０”と値”１”を検出することができ、値”０”と値”１”の組み合わせによって構成される管理情報、アドレス情報、シンクパターン等の情報を検出することができる。
【００５７】
これら情報は、例えば図７に概念的に示すように、コントロールデータ領域１０２，１０８のトラックに切られたアドレスの所定番地に所定の情報が埋め込まれることで記録されている。例えばアドレスの番地３０１にはディスクのタイプを示す情報が、また番地３０２には記録容量を示す情報が記録されている。そして、これらを含む種々の情報が繰り返し記録されており、ディスクのタイプを示す情報が例えば番地３１１にも記録され、また記録容量を示す情報が番地３１２にも記録されている。
【００５８】
また、前記トラックには、グルーブトラックとランドトラックのどちらのトラックにトラッキングサーボをかけるのかを示すコードが設けられている。このコードは、光ディスク１０１のコントロールデータ領域１０２と、光ディスク１０７のコントロールデータ領域１０８との何れにも設けられている。両光ディスク１０１，１０７において、前記コードは、例えば番地３０３，３１３に設けられており、このコードが例えば値”０”であれば、グルーブトラックにトラッキングサーボをかける光ディスクであることを示し、例えば値”１”であれば、ランドトラックにトラッキングサーボをかける光ディスクであることを示す識別情報によって構成されている。そして、再生装置において、この情報を再生することにより、どちらのトラックにトラッキングサーボをかけるのかが判断される。その詳細については、後述する。
【００５９】
図６に戻る。仮に、光ディスク１０１のコントロールデータ領域１０２におけるグルーブトラックと、光ディスク１０７のコントロールデータ領域１０８におけるランドトラックとに、それぞれ同じ情報が埋め込まれているとすると、光ディスク１０１のグルーブトラックの変調方向と、光ディスク１０７のランドトラックの変調方向とでは、それらの位相が１８０度異なっている。言い換えると、グルーブトラックにデータを記録する情報記録媒体と、ランドトラックにデータを記録する情報記録媒体とにおいて、トラックの変調を開始する方向が再生方向に対して左右反対になっている。例えば、グルーブトラックに記録するタイプの光ディスク１０１では、変調を開始するところでの変調方向がディスクのインナーサイドとなっているのに対し、ランドトラックに記録するタイプの光ディスク１０７では、変調を開始するところでの変調方向がディスクのアウターサイドとなっている。ここでいう変調を開始するところというのは、所定のデータを構成する一連の変調部位における先頭部をさしている。
【００６０】
レーザ光をグルーブトラックに照射した場合とランドトラックに照射した場合とでは、検出される差動信号が反転されるので、トラックの変調を開始する方向を逆向きに設定することにより、光ディスク１０１のコントロールデータ領域１０２のグルーブトラックを再生したときの差動信号と、光ディスク１０７のコントロールデータ領域１０８のランドトラックを再生したときの差動信号の極性を同じにすることができる。この結果、光ディスク１０１のようなグルーブトラックに記録するタイプの光ディスクにしか対応していない記録装置においても、ランドトラックにトラッキングサーボがかかっていれば、光ディスク１０７のようなランドトラックに記録するタイプの光ディスクの管理情報等を、光ディスク１０１と同じシーケンスで検出することができる。
【００６１】
なお、本実施の形態では、コントロールデータ領域１０２のグルーブトラックと、コントロールデータ領域１０８のランドトラックが変調されている構成としているが、ウォブリングされた構成としてもよく、あるいはトラックに凹凸とつける構成としてもよい。
【００６２】
また、コントロールデータ領域１０２のグルーブトラックと、コントロールデータ領域１０８のランドトラックに同じ情報が埋め込まれている場合において、コントロールデータ領域１０２のグルーブトラックから検出される情報と同じ情報がコントロールデータ領域１０８のランドトラックからも検出できるのであれば、トラックを変位させる方式や値”０”と値”１”の定義の仕方は本実施の形態の構成に限られるものでもない。
【００６３】
次に図８を参照する。図８は本発明に係る記録再生装置の一実施形態を概略的に示すブロック図である。本記録再生装置は、光ヘッド４０２と、信号検出手段Ａとしての第１信号検出部４０４と、パターン検出手段Ａとしての第１パターン検出部４０６と、ヘッド移動手段としてのヘッド移動部４０８と、コード検出手段としてのコード検出部４２５と、トラッキング極性切り替え手段としてのトラッキング極性切替部４１４と、トラッキング制御手段としてのトラッキング制御部４１６とを備えている。なお、本明細書において、記録再生装置とは、情報記録媒体における記録層のランドトラック及びグルーブトラックの何れかへの情報の記録及び前記何れかのトラックに記録された情報の再生の少なくとも一方を行う装置を意味している。
【００６４】
光ヘッド４０２は、光ディスク４０１に光を照射して、光ディスク４０１からの反射光を受光することにより、光ディスクへの情報記録または記録された情報の再生を行う。
【００６５】
コード検出部４２５は、所定の極性にしたがってトラッキングサーボがかけられたときに、前記コードに含まれる情報を取得する制御を行うものであり、このコード検出部４２５には、信号検出手段Ｂとしての第２信号検出部４１０と、パターン検出手段Ｂとしての第２パターン検出部４１２とが機能的に含まれている。第２信号検出部４１０は、トラッキングサーボがかけられている光ヘッド４０２からの差動信号４０３が入力され、この差動信号４０３の極性の変化から２値化信号４１１を生成する。第２パターン検出部４１２は、第２信号検出部４１０から入力された２値化信号４１１からコードを選別し、そのコードに応じた信号４１３を出力する。
【００６６】
トラッキング極性切替部４１４は、第２パターン検出部４１２からの信号４１３が入力され、この信号４１３に応じてトラッキング極性を切り替えるかどうかを表す信号４１５を出力する。
【００６７】
ここでは、光ディスク４０１として、ランドトラックに記録するタイプの光ディスク１０７が装着された場合について説明する。光ヘッド４０２は、ヘッド移動部４０８によってディスクの径方向に所定の領域まで移動され、続いてトラッキング制御部４１６によって光ディスク４０１のグルーブトラックにトラッキングサーボをかける。なお、本実施の形態では初期設定として、光ディスクが装着された場合に最初にグルーブトラックにトラッキングサーボをかける構成にしているが、最初にランドトラックにトラッキングサーボをかける構成としてもよい。
【００６８】
トラッキング制御部４１６は、光ヘッド４０２からの信号４１８をモニタすることでトラッキングサーボを行う。この信号４１８は、光ディスク４０１のグルーブトラックからの反射光を、受光領域がトラック方向に平行なラインで２分割されたフォトディテクタで受光したときに、各受光領域から出力される信号の差動信号における低域成分である。
【００６９】
また、光ヘッド４０２は、データ記録領域１０９のグルーブトラックからの反射光に基づいて得られた差動信号４０３を第１信号検出部４０４に出力する。この差動信号４０３は、データ記録領域１０９のグルーブトラックからの反射光を、受光領域がトラック方向に平行なラインで２分割されたフォトディテクタで受光したときに、各受光領域からそれぞれ出力される信号の差信号である。
【００７０】
ここで、光ヘッド４０２がデータ記録領域１０９のランドトラックを再生したときに第１信号検出部４０４が検出する波形を、図９に符号６００２で示すような波形とする。そして、前記ランドトラックに隣接するグルーブトラックにトラッキングがかかると、隣接するもう一方のランドトラックからのクロストークの影響が小さいときには、第１信号検出部４０４は図９に符号６００１で示すような波形を検出することになる。そして、第１信号検出部４０４はパターンＢと同じ周波数成分を検出した後に、再度パターンＢと同じ周波数成分を検出するまでの時間の違いから、値”０”と値”１”を識別し、それに基づいてウォブリングパターンを表す２値化信号４０５を生成し、それを第１パターン検出部４０６に出力する。
【００７１】
第１パターン検出部４０６は２値化信号４０５からアドレス成分を抽出し、信号４０７としてヘッド移動部４０８に出力する。ヘッド移動部４０８は、信号４０７と現在のアドレスを基に光ヘッド４０２の移動量を導出し、光ヘッド４０２をコントロールデータ領域１０８に移動させる。
【００７２】
このコントロールデータ領域１０８において、光ヘッド４０２は、光ディスク１０７のグルーブトラックからの反射光に基づいて得られた差動信号４０３を第２信号検出部４１０に出力する。この差動信号４０３は、コントロールデータ領域１０８におけるグルーブトラックからの反射光を、受光領域がトラック方向に平行なラインで２分割されたフォトディテクタで受光したときに、各受光領域から出力された信号の差信号である。
【００７３】
ここで、光ヘッド４０２がコントロールデータ領域１０８のランドトラックを再生したときに、第２信号検出部４１０が図９に符号６００４で示すような波形を検出するとする。そして、前記ランドトラックに隣接するグルーブトラックにトラッキングがかかると、隣接するもう一方のランドトラックからのクロストークの影響が小さいときには、第２信号検出部４１０は図９に符号６００３で示すような波形を検出することになる。そして、第２信号検出部４１０は、差動信号４０３の極性の変化を検出することによって値”０”と値”１”を識別し、それに基づいて２値化信号４１１を生成し、それを第２パターン検出部４１２に出力する。
【００７４】
第２パターン検出部４１２は２値化信号４１１からトラッキング極性を示すコードを検出し、トラッキング極性がランドであるという信号４１３をトラッキング極性切替部４１４に出力する。
【００７５】
そして、トラッキング極性切替部４１４は、信号４１３と現在のトラッキング極性を比較する。本説明では光ヘッド４０２が先ずグルーブトラックにトラッキングサーボしているので、トラッキング極性切替部４１４は、ランド側にトラッキング極性を切り替えるための信号４１５をトラッキング制御部４１６に出力する。これにより、トラッキング制御部４１６は、トラッキング極性をグルーブからランドに切り替え、信号４１８をモニタすることによりランドトラックにトラッキングサーボをかける。
【００７６】
なお、本実施の形態では、データ記録領域１０９で１回アドレス情報を検出した後にコントロールデータ領域１０８に移動する構成としているが、これに限られるものではなく、例えば、アドレス情報を繰り返し検出しながら徐々にコントロールデータ領域１０８に移動してもよく、あるいは光ディスクの装着後に直接コントロールデータ領域１０８に移動する構成としてもよい。
【００７７】
また、トラッキング極性を切り替えた後に、再度コードを再生し、現在のトラッキング極性が正しいことを確認する構成としてもよい。
【００７８】
また、本実施の形態では、コントロールデータ領域にグルーブトラックとランドトラックのどちらのトラックにトラッキングサーボをかけるのかを示すコードが設けられている構成としたが、これに代え又はこれと共に、前記コードはデータ記録領域を構成するトラックに設けられている構成としてもよい。データ記録領域を構成するトラックにコードが設けられる構成とすれば、コードがコントロールデータ領域に設けられている構成に比べ、より広範囲にコードが設けられることになるので、コードの検出確率を増大させ、これにより、より再生しやすくすることができる。
【００７９】
また、本実施の形態では、１つの記録層のみを有する光ディスクについて説明したが、複数の記録層を有する光ディスクに構成してもよく、この場合、各記録層に前記コードを設けた構成とするのが好ましい。
【００８０】
また、例えばコントロールデータ領域においては、記録パルスの強度や位置等の記録条件が記録されている場合があるが、グルーブトラックとランドトラックのどちらのトラックにトラッキングサーボをかけるのかを示すコードは、前記記録条件が記録されている領域よりも、再生方向に対し先行した位置に設けられるのが望ましい。こうすることにより、再生のみを行いたい場合に速やかにトラッキングの極性を認識することができ、再生までの時間を短縮することができる。
【００８１】
また、本実施の形態では、追記型の光ディスクとした構成について説明したが、これに限られるものではなく、例えば書き換え型の光ディスクに構成してもよい。
【００８２】
また、本実施の形態では、第１信号検出部４０４はパターンＢと同じ周波数成分を検出した後に、再度パターンＢと同じ周波数成分を検出するまでの時間の違いから、値”０”と値”１”を識別する構成としているが、これに限られるものではない。例えば、隣接するランドトラックからのクロストークの影響が大きく、所定の時間内に、もしくは所定の領域内で、もしくは所定のリトライ処理において、２値化信号、アドレス情報、シンクパターン等の検出が困難な場合には、差動信号を用いる代わりに、受光領域がトラック方向に平行なラインで２分割されたフォトディテクタからの出力信号の内、本来再生すべきランドトラックに近い方の受光領域からの出力信号のみを信号４０３として出力する構成としてもよい。
【００８３】
また、所定の時間内に、もしくは所定の領域内で、もしくは所定のリトライ処理においてコードの検出以外にも、２値化信号、アドレス情報、シンクパターン等の検出が困難な場合には、トラッキング極性切替部４１４にトラッキング極性の切り替えを指示する信号をコード検出手段から出力する構成としてもよい。なお、コードを検出する実施の形態以外の場合には、光ディスクにトラッキング極性を明示するコードが設けられていなくてもよい。
【００８４】
また、差動信号そのものの変動を検出する構成とし、例えばその変動が所定の範囲を超えているときに、トラッキング極性切替部４１４にトラッキング極性の切り替えを指示する信号が入力される構成としてもよい。なお、この場合には、コードを検出する必要がないので、光ディスクにトラッキング極性を明示するコードが設けられていなくてもよい。
【００８５】
また、本実施の形態では、第２信号検出部４１０が差動信号４０３の極性の変化を検出して値”０”と値”１”を識別する構成としているが、隣接するランドトラックからのクロストークの影響が大きくて、所定の時間内に、もしくは所定の再生範囲内で、もしくは所定のリトライ処理において、２値化信号、アドレス情報、シンクパターン等の検出が困難な場合には、差動信号を用いる代わりに、受光領域がトラック方向に平行なラインで２分割されたフォトディテクタからの出力信号の内、本来再生すべきランドトラックに近い方の受光領域からの出力信号のみを信号４０３として出力する構成としてもよい。
【００８６】
また、所定の時間内に、もしくは所定の再生範囲内で、もしくは所定のリトライ処理において、２値化信号、アドレス情報、シンクパターン等の検出が困難な場合には、コード検出部４２５がトラッキング極性切替部４１４にトラッキング極性の切り替えを指示する信号を出力するように構成してもよい。なお、この場合には、コードを検出する必要がないので、光ディスクにトラッキング極性を明示するコードが設けられていなくてもよい。
【００８７】
また、差動信号そのものの変動を検出し、例えばその変動が所定の範囲を超えているときに、コード検出部４２５がトラッキング極性切替部４１４にトラッキング極性の切り替えを指示する信号を出力する構成にしてもよい。なお、この場合には、コードを検出する必要はないので、光ディスクにトラッキング極性を明示するコードが設けられていなくてもよい。
【００８８】
また、前記説明では情報記録再生装置がコード検出部４２５とトラッキング極性切替部４１４とを備える構成について説明したが、図１０に示すように、集積回路４３０がコード検出手段としてのコード検出部４３１とトラッキング極性切り替え手段としてのトラッキング極性切替部４３２とを機能的に含む構成としてもよい。また、コンピュータプログラムがコード検出部４３１とトラッキング極性切替部４３２とを機能的に含む構成としてもよい。
【００８９】
次に、図１１を参照する。図１１は、本発明に係る情報記録媒体の一実施形態としての光ディスク７０１を示している。この光ディスク７０１は、内側から順にＢＣＡ領域７０５と、コントロールデータ領域７０２と、データ記録領域７０４とを備えている。コントロールデータ領域７０２は、管理情報等が予め記録された領域であり、データ記録領域７０４は、ユーザによりデータが記録される領域である。また、ＢＣＡ領域７０５は、コントロールデータ領域７０２に記録された内容が同じ光ディスクについて、それをさらに詳細に分類するための情報を記録するための領域である。このＢＣＡ領域７０５への情報記録は、ディスクの製造後に工場においてバーコード状の記録を行うことによりなされる。この記録は、例えばデータ記録領域７０４に情報を記録するのと同じ原理で行うことができ、あるいは膜の特性変化を利用して行うことも可能である。また、トリミングにより部分的に膜を除去することにより行ってもよい。
【００９０】
この光ディスク７０１には、グルーブトラックとランドトラックのどちらのトラックにトラッキングサーボをかけるのかを示すコードがＢＣＡ領域７０５に設けられている。例えば、この光ディスク７０１は、ランドトラック７０３に情報が記録されるタイプのディスクである。
【００９１】
図１２は、本発明に係る記録再生装置の一実施形態を示している。この記録再生装置は、光ディスク７０１の情報再生が可能なものである。この記録再生装置は、図８に示した記録再生装置とほぼ同様の構成なので、ここではそれと異なる部分についてのみ説明する。
【００９２】
コード検出部４２５は、第２信号検出部４１０及び第２パターン検出部４１２に加え、信号検出手段Ｃとしての第３信号検出部４２０とパターン検出手段Ｃとしての第３パターン検出部４２２とを機能的に有している。第３信号検出部４２０は、フォーカスサーボがかけられている光ヘッド４０２からの和信号４１９が入力され、この和信号４１９に基づいて２値化信号４２１を生成する。この和信号４１９は、光ディスク７０１のＢＣＡ領域７０５からの反射光を、受光領域がトラックに平行な方向なラインで２分割されたフォトディテクタで受光したときの各受光領域からの出力信号の和をとったものである。ＢＣＡ領域７０５には、情報がバーコード状に記録されているので、第３信号検出部４２０では、このバーコードの間隔等に基づいて２値化信号４２１が生成される。
【００９３】
前記第３パターン検出部４２２は、第３信号検出部４２０から入力された２値化信号４２１からコードを選別し、そのコードに応じた信号４２３を出力する。
【００９４】
トラッキング極性切替部４１４は、第３パターン検出部４２２からの信号４２３が入力され、この信号４２３に応じてトラッキング極性を切り替えるかどうかを表す信号４１５を出力する。
【００９５】
ここで、当該記録再生装置に例えばランドトラックに情報を記録するタイプの光ディスク７０１が装着された場合の動作について説明する。光ディスク７０１が装着されると、光ヘッド４０２はヘッド移動部４０８によってＢＣＡ領域７０５まで移動する。この状態で図示省略したフォーカス制御部によってフォーカスサーボがかけられる。このとき光ヘッド４０２は、ＢＣＡ領域７０５からの反射光を受光し、それに応じて和信号４１９を第３信号検出部４２０に出力する。第３信号検出部４２０は、膜の有無もしくは膜の特性の違いによって構成されているバーコード状の記録を読み取って２値化信号４２１を生成する。この２値化信号４２１は、複数の周期の組み合わせによって値”０”と値”１”を表現したものであり、例えば図１１に示すように、間隔Ｔａ，Ｔｂ，Ｔｃの組み合わせで値”０”を表している。
【００９６】
２値化信号４２１は、第３パターン検出部４２２に入力される。第３パターン検出部４２２は、２値化信号４２１からコードを割り出し、トラッキング極性がランドであるという信号４２３をトラッキング極性切替部４１４に出力する。そして、トラッキング極性切替部４１４は、ランド側にトラッキング極性を切り替えるための信号４１５をトラッキング制御部４１６に出力する。これにより、トラッキング制御部４１６は、トラッキング極性をグルーブからランドに切り替え、信号４１８をモニタすることによりランドトラックにトラッキングサーボをかける。
【００９７】
なお、前記説明では、コードがコントロールデータ領域又はＢＣＡ領域に設けられている構成について説明したが、これに限られるものではない。すなわち、コードは、何れかの領域に設けられる構成でもよく、あるいは全ての領域に設けられる構成でもよい。
【００９８】
以上説明したように、本発明によれば、グルーブトラックに記録を行うタイプと、ランドトラックに記録を行うタイプの両方のディスクが存在する場合であっても、再生するトラックの極性を明示するコードが各々のタイプのディスクに設けられるので、そのコードを再生することにより、現在のトラッキング極性と再生するトラックの極性とが一致していなければ、トラッキング極性を逆にすることができる。これにより、装置の起動時間が増大するのを防止することができる。
【００９９】
また本発明の再生方法では、所定の極性に従ってトラッキングサーボを行い、再生するトラックの極性を明示するコードを再生するので、現在のトラッキング極性と再生するトラックの極性とが一致していなければ、トラッキング極性を逆にすることができる。これにより、装置の起動時間が増大するのを防止することができる。
【０１００】
また本発明の再生方法では、所定の極性に従ってトラッキングサーボを行った際に、所定の時間内に、もしくは所定の領域内で、もしくは所定のリトライ処理において、２値化信号、アドレス情報、シンクパターン等の検出が困難な場合にトラッキング極性を逆にするので、装置の起動時間の増大を防止することができる。
【０１０１】
［実施の形態の概要］
実施の形態の概要を以下に説明する。
【０１０２】
（１）以上説明したように、本実施形態では、前記コードは、前記コントロールデータ領域に設けられている。
【０１０３】
（２）また、前記コードは、前記データ記録領域に設けられていてもよい。
【０１０４】
（３）情報記録媒体の分類を行うためのデータが記録されるＢＣＡ領域を備える場合には、前記コードは、前記ＢＣＡに設けられていてもよい。
【０１０５】
（４）前記記録層が、複数設けられている場合には、前記コードは、各記録層にそれぞれに設けられているのが好ましい。そうすれば、何れの記録層に記録された情報を再生する場合においてもコードを生成できるので、複数の記録層を有する情報記録媒体の情報再生時においても、装置の起動時間が増大するのを防止することができる。
【０１０６】
（５）前記コードは、記録条件を表すコードよりも先行してトラッキングサーボがかけられる位置に設けられているのが好ましい。
【０１０７】
（６）本実施形態では、光ディスクは追記型に構成されている。
【０１０８】
（７）本実施形態において、前記記録層は、スピンコート法によって形成されており、前記ランドトラックに情報が記録される。この情報記録媒体によれば、記録層の形成時間を短縮できるとともに、材料費の増大を抑制しつつ安定した情報記録を行うことができる。
【０１０９】
（８）本実施形態において、前記トラッキング極性切り替え手段は、所定の極性にしたがってトラッキングサーボがかけられた場合において、所定の時間内に、所定の領域内で又は所定のリトライ回数で、アドレス情報が読み取れないとき、前記コードが読み取れないとき、シンクパターンが検出できないとき及び前記トラッキングサーボによる差動信号からの２値化信号が検出できないときの何れかによって前記コードが取得できないときに、トラッキング極性の切り替えを行う。これにより、情報が記録されるトラックに確実にトラッキングサーボをかけることができる。
【０１１０】
（９）本実施形態は、情報記録媒体における記録層のランドトラック及びグルーブトラックの何れかへの情報の記録及び前記何れかのトラックに記録された情報の再生の少なくとも一方を行う記録再生装置であって、光ヘッドと、前記情報記録媒体のランドトラック又はグルーブトラックにトラッキングサーボをかける制御を行うトラッキング制御手段と、集積回路とを備えている。
【０１１１】
（１０）所定の極性にしたがってトラッキングサーボがかけられた場合において、アドレス情報が読み取れないとき、前記コードが読み取れないとき、シンクパターンが検出できないとき、前記トラッキングサーボによる差動信号からの２値化信号が検出できないとき及び前記トラッキングサーボによる差動信号が所定の範囲を超えているときの何れかによって前記コードが取得できないときに、トラッキング極性の切り替えを行うようにしてもよい。
【産業上の利用可能性】
【０１１２】
本発明は、速やかな光ディスクの起動を実現する際に有用なので、情報記録媒体、集積回路、記録再生装置、コンピュータプログラム及び情報記録再生方法に利用できる。
【図１】
2010186556.tif 000003
【図２】
2010186556.tif 000004
【図３】
2010186556.tif 000005
【図４】
2010186556.tif 000006
【図５】
2010186556.tif 000007
【図６】
2010186556.tif 000008
【図７】
2010186556.tif 000009
【図８】
2010186556.tif 000010
【図９】
2010186556.tif 000011
【図１０】
2010186556.tif 000012
【図１１】
2010186556.tif 000013
【図１２】
2010186556.tif 000014
【図１３】
2010186556.tif 000015